(57)【要約】【課題】撮像素子周辺部に集光する光線の主光線角度を抑え、撮像素子と撮像レンズの間隔を十分確保でき、さらに広角で収差が良好に補正された６枚構成の撮像レンズ及び、撮像レンズを備えた撮像装置並びにデジタルスチルカメや及び携帯端末を提供する。【解決手段】撮像レンズは、撮像素子の撮像面に被写体像を結像させるための撮像レンズであって、物体側より順に、第１レンズ、第２レンズ、第３レンズ、第４レンズ、第５レンズ、第６レンズの６枚のレンズで構成され、前記第１レンズは負の屈折力を有し、前記第１レンズと前記第２レンズは負の合成屈折力を有し、前記第１レンズの物体側及び前記第６レンズの像側の面の少なくとも一方が非球面であって、前記非球面と光軸との交点以外の光学面上の位置に非球面サグ量が極値を持つ形状である。【選択図】図５
2015125405.tif 000002
【特許請求の範囲】
【請求項１】
撮像素子の撮像面に被写体像を結像させるための撮像レンズであって、物体側より順に、第１レンズ、第２レンズ、第３レンズ、第４レンズ、第５レンズ、第６レンズの６枚のレンズで構成され、前記第１レンズは負の屈折力を有し、前記第１レンズと前記第２レンズは負の合成屈折力を有し、前記第１レンズの物体側及び前記第６レンズの像側の面の少なくとも一方が非球面であって、前記非球面と光軸との交点以外の光学面上の位置に非球面サグ量が極値を持つ形状であることを特徴とする撮像レンズ。
【請求項２】
前記第１レンズの物体側の面が非球面であり、前記非球面と光軸との交点以外の位置に非球面サグ量が極値を持つ形状であることを特徴とする請求項１に記載の撮像レンズ。
【請求項３】
前記第６レンズの像側の面が非球面であり、前記非球面と光軸との交点以外の位置に非球面サグ量が極値を持つ形状であることを特徴とする請求項１又は２に記載の撮像レンズ。
【請求項４】
前記第１レンズの像側の面が非球面であり、前記非球面と光軸との交点以外の位置に非球面サグ量が極値を持つ形状であることを特徴とする請求項１〜３のいずれかに記載の撮像レンズ。
【請求項５】
以下の条件式を満足することを特徴とする請求項１〜４のいずれかに記載の撮像レンズ。
ｆｂ／ｆ＞０．４      （１）
ただし、
ｆｂ：バックフォーカス（空気換算距離）（ｍｍ）
ｆ：撮像レンズ全系の合成焦点距離（ｍｍ）
【請求項６】
以下の条件式を満足することを特徴とする請求項１〜５のいずれかに記載の撮像レンズ。
ｄ６／ｆ＞０．３      （２）
ただし、
ｄ６：前記第６レンズと前記撮像素子の撮像面との間の距離（空気換算距離）（ｍｍ）
ｆ：撮像レンズ全系の合成焦点距離（ｍｍ）
【請求項７】
前記第２レンズは正の屈折力を有し、前記第３レンズは正の屈折力を有し、前記第４レンズは負の屈折力を有し、前記第５レンズは正の屈折力を有し、前記第６レンズは負の屈折力を有することを特徴とする請求項１〜６のいずれかに記載の撮像レンズ。
【請求項８】
前記第２レンズは負の屈折力を有し、前記第３レンズは正の屈折力を有し、前記第４レンズは負の屈折力を有し、前記第５レンズは正の屈折力を有し、前記第６レンズは負の屈折力を有することを特徴とする請求項１〜６のいずれかに記載の撮像レンズ。
【請求項９】
画角が７５度以上であることを特徴とする請求項１〜８のいずれかに記載の撮像レンズ。
【請求項１０】
請求項１〜９のいずれか一項に記載の撮像レンズを、前記撮像レンズを保持する鏡筒に組み付けてなることを特徴とするレンズユニット。
【請求項１１】
被写体像を光電変換する撮像素子と、請求項１０に記載のレンズユニットを備えたことを特徴とする撮像装置。
【請求項１２】
請求項１１に記載の撮像装置を備えたことを特徴とするデジタルスチルカメラ。
【請求項１３】
請求項１１に記載の撮像装置を備えたことを特徴とする携帯端末。
【発明の詳細な説明】
【技術分野】
【０００１】
本発明は、撮像装置に用いられる広角の撮像レンズ、該撮像レンズを備えた撮像装置、及び該撮像装置を備えたデジタルスチルカメラや携帯端末に関するものである。
【背景技術】
【０００２】
近年、CCD（Charge Coupled Device）型イメージセンサあるいはCMOS（Complementary Metal Oxide Semiconductor）型イメージセンサ等の固体撮像素子を用いた撮像装置が搭載されたデジタルスチルカメラや携帯端末が普及している。しかるに、一般的ユーザーのニーズは、これら撮像機器の携帯上の利便性やデザイン性に加え、更なる高画質化にあるから、固体撮像素子はより小型化・高画素化され、また撮像レンズは小型であるにもかかわらず、より高い光学性能が求められる傾向がある。また、近距離被写体の撮像を可能にすべく、３５ｍｍ判写真換算で２８ｍｍ以下の焦点距離、すなわち画角が７５度以上となる広角な撮像レンズが好まれる傾向もある。このような用途の撮像レンズとしては、４枚構成、５枚構成の撮像レンズに比べ、広角化により顕著になる諸収差を良好に抑え、高性能化が可能である６枚構成の撮像レンズが提案されている。
【０００３】
６枚構成の撮像レンズとして、物体側より順に正の屈折力を有し、物体側に凸面を向けた第１レンズと、正の屈折力を有する第２レンズ、正の屈折力を有する第３レンズ、正または負の屈折力を有する第４レンズ、正の屈折力を有する第５レンズ、負の屈折力を有する第６レンズで構成された撮像レンズが知られている（例えば、特許文献１）。また、物体側より順に負の屈折力を有し、物体側に凸面、像側に凹面を向けた第1レンズと、正の屈折力を有する第２レンズ、正または負の屈折力を有する第３レンズ、負の屈折力を有する第４レンズ、負の屈折力を有する第５レンズ、正または負の屈折力を有する第６レンズで構成された撮像レンズが知られている（特許文献２）。
【先行技術文献】
【特許文献】
【０００４】
【特許文献１】米国特許公開第２０１３／０２７９０２１号明細書
【特許文献２】中国特許第２０２８５４３９１号公報
【発明の概要】
【発明が解決しようとする課題】
【０００５】
一般的に撮像レンズと撮像素子の間には、光学ローパスフィルタ、赤外線カットフィルタ及び撮像素子を保護するカバーガラスが配置されるが、特許文献１及び特許文献２に開示された撮像レンズでは、０．２ｍｍ程度の薄い赤外線カットフィルタのみが設けられており、比較的実現性に乏しい構成といえる。特に、撮像素子に最も近い第６レンズと撮像素子との間隔が比較的狭くなっているため、例えば更にカバーガラスを配置しなければならないとするとスペースに余裕がなくなり、各部材に生じうる製造誤差を勘案すると、部材同士の干渉を招く恐れが生じるという問題がある。かかる干渉の問題は、撮像素子の大きさに対する焦点距離が小さい、いわゆる広角レンズでより顕著になる傾向がある。これに対し、光学ローパスフィルタ、赤外線カットフィルタ及びカバーガラスの平行平板を薄型化することで干渉を避けることはできるが、高い光学性能を維持したまま平行平板を薄型化することは大幅なコスト増を招くこととなる。よって、撮像装置を安価に製造するためには、全長を抑えながらも撮像レンズの第６レンズと撮像素子の間隔を極力広げることが好ましいといえる。
【０００６】
また、特許文献１及び特許文献２に開示の撮像レンズは、撮像素子の周辺部に集光する光線の主光線角度（ＣＲＡ：Ｃｈｉｅｆ  Ｒａｙ  Ａｎｇｌｅ）が２０°以上と大きくなるため、集光効率の低下（周辺光量低下）、混色特性の劣化による色ムラの発生により、画質が低下するという課題がある。ここで、画質の低下を抑制するために、撮像素子の表面に配置されるマイクロレンズを撮像レンズのＣＲＡに合わせて最適化する技術も開発されているが、画質の低下を完全には補正することは出来ず、さらに撮像素子のコスト増を招くため、高画質の画像を得られる撮像装置を安価に製造するためには、ＣＲＡを抑えた撮像レンズとすることが好ましいといえる。
【０００７】
本発明は、上記した問題に鑑みてなされたものであり、撮像素子周辺部に集光する光線の主光線角度を抑え、撮像素子と撮像レンズの間隔を十分確保でき、さらに広角で収差が良好に補正された６枚構成の撮像レンズ及び、撮像レンズを備えた撮像装置、レンズユニット、並びにデジタルスチルカメラ、及び携帯端末を提供することを目的とする。
【課題を解決するための手段】
【０００８】
請求項１に記載の撮像レンズは、撮像素子の撮像面に被写体像を結像させるための撮像レンズであって、物体側より順に、第１レンズ、第２レンズ、第３レンズ、第４レンズ、第５レンズ、第６レンズの６枚のレンズで構成され、前記第１レンズは負の屈折力を有し、前記第１レンズと前記第２レンズは負の合成屈折力を有し、前記第１レンズの物体側及び前記第６レンズの像側の面の少なくとも一方が非球面であって、前記非球面と光軸との交点以外の光学面上の位置に非球面サグ量が極値を持つ形状であることを特徴とする。
【０００９】
本発明によれば、前記第１レンズは負の屈折力を有し、さらに前記第１レンズと前記第２レンズは負の合成屈折力を有することで、撮像素子の大きさに対する焦点距離が小さい広角レンズにおいて、いわゆるレトロフォーカスタイプのレンズ構成とでき、これによりバックフォーカスが大きくなるため、前記撮像レンズと前記撮像面の間隔を広げることができるから、赤外線カットフィルタやカバーガラス等を設置する十分なスペースを確保できる。
【００１０】
また、前記第１レンズの物体側及び前記第６レンズの像側の面の少なくとも一方を非球面とすることで、画面全体で諸収差を良好に補正することができる。さらに、有効径内における非球面と光軸との交点以外の位置に非球面サグ量が極値を持つ形状であることで、撮像素子周辺部での主光線角度（ＣＲＡ）を抑えることができる。なお、「非球面サグ量が極値を持つ」とは、非球面断面上の任意の点までの光軸からの光軸垂直方向の高さをｈとし、当該点までの基準位置（非球面の面頂点、又は非球面の光軸上の点）からの光軸方向の距離（非球面サグ量）をＸ（ｈ）としたときに、１階微分（ｄＸ（ｈ）／ｄｈ）＝０で表される点をいう。
【００１１】
ここで、本発明の撮像レンズは、撮像面での諸収差が良好に補正されている必要がある。例えば、焦点距離が小さい広角レンズで顕著になる樽型の歪曲収差（ディストーション）は、撮像装置での歪曲画像の補正が良好に行える程度に抑えられているということである。この時、光学ディストーション（Ｄ）は像高全域でＤ≧−２５％であり、より好ましくはＤ≧−２０％である。ここで、光学ディストーションは以下の式で定義され、正の場合は糸巻型、負の場合は樽型ディストーションとなる。
Ｄ＝ｙ−ｙ0／ｙ0＊１００（％）
ただし、
ｙ：実際像の像高
ｙ0：理想像の像高
【００１２】
請求項２に記載の撮像レンズは、請求項１に記載の発明において、前記第１レンズの物体側の面が非球面であり、前記非球面と光軸との交点以外の位置に非球面サグ量が極値を持つ形状であることを特徴とする。
【００１３】
前記第１レンズの物体側の面を非球面とすることで、画面周辺部での諸収差を良好に補正することができる。さらに、非球面と光軸との交点以外の位置に非球面サグ量が極値を持つ形状とすることで、撮像素子周辺部での主光線角度（ＣＲＡ）を抑えることができる。
【００１４】
請求項３に記載の撮像レンズは、請求項１又は２に記載の発明において、前記第６レンズの像側の面が非球面であり、前記非球面と光軸との交点以外の位置に非球面サグ量が極値を持つ形状であることを特徴とする。
【００１５】
前記第６レンズの物体側の面を非球面とすることで、画面周辺部での諸収差を良好に補正することができ、また前記第６レンズが撮像面に最も近づく位置を制御することができるため、前記第６レンズと撮像面の距離を広げることができる。さらに、非球面と光軸との交点以外の位置に非球面サグ量が極値を持つ形状とすることで、撮像素子周辺部での主光線角度（ＣＲＡ）を抑えることができる。
【００１６】
請求項４に記載の撮像レンズは、請求項１〜３のいずれかに記載の発明において、前記第１レンズの像側の面が非球面であり、前記非球面と光軸との交点以外の位置に非球面サグ量が極値を持つ形状であることを特徴とする。
【００１７】
前記第１レンズの像側の面を非球面とすることで、画面周辺部での諸収差を良好に補正することができる。さらに、非球面と光軸との交点以外の位置に非球面サグ量が極値を持つ形状とすることで、撮像素子周辺部での主光線角度（ＣＲＡ）を抑えることができる。なお、前記第１レンズの物体側の面、前記第１レンズの像側の面、前記第６レンズの物体側の面以外の面において、光軸との交点以外の位置に非球面サグ量が極値を持つ非球面形状としても良い。
【００１８】
請求項５に記載の撮像レンズは、請求項１〜４のいずれかに記載の発明において、以下の条件式を満足することを特徴とする。
ｆｂ／ｆ＞０．４      （１）
ただし、
ｆｂ：バックフォーカス（空気換算距離）（ｍｍ）
ｆ：撮像レンズ全系の合成焦点距離（ｍｍ）
【００１９】
（１）式は、バックフォーカスを適切に設定するための条件式である。（１）式を満足することで、前記第６レンズと前記撮像面が近づきすぎることがなくなり、光学ローパスフィルタ、赤外線カットフィルタ及び前記撮像素子を保護するカバーガラスを配置するスペースを確保することができる。ここで、バックフォーカスとは、前記第６レンズの像側の面と前記撮像面との光軸上の距離であり、光学ローパスフィルタ、赤外線カットフィルタ及び前記撮像素子を保護するカバーガラス等が配置される場合には、これらを空気換算距離として算出するものとする。また、以下の条件式を満たすことがより好ましい。
ｆｂ／ｆ＞０．４５      （１’）
【００２０】
請求項６に記載の撮像レンズは、請求項１〜５のいずれかに記載の発明において、以下の条件式を満足することを特徴とする。
ｄ６／ｆ＞０．３      （２）
ただし、
ｄ６：前記第６レンズと前記撮像素子の撮像面との間の距離（空気換算距離）（ｍｍ）
ｆ：撮像レンズ全系の合成焦点距離（ｍｍ）
【００２１】
（２）式は、撮像レンズと像面の距離を適切に設定するための条件式である。（２）式を満足することで、前記第６レンズと前記撮像面が近づきすぎることがなくなり、光学ローパスフィルタ、赤外線カットフィルタ及び前記撮像素子を保護するカバーガラスを配置するスペースを確保することができる。ここで、ｄ６は前記第６レンズの非球面サグ量が最も像側になる位置から前記撮像面までの距離であり、光学ローパスフィルタ、赤外線カットフィルタ及び撮像素子を保護するカバーガラス等が配置される場合には、これらを空気換算距離として算出するものとする。また、上述のような観点から、以下の条件式がより好ましい。
ｄ６／ｆ＞０．３５      （２’）
【００２２】
請求項７に記載の撮像レンズは、請求項１〜６のいずれかに記載の発明において、前記第２レンズは正の屈折力を有し、前記第３レンズは正の屈折力を有し、前記第４レンズは負の屈折力を有し、前記第５レンズは正の屈折力を有し、前記第６レンズは負の屈折力を有することを特徴とする。
【００２３】
６枚構成のうち、３枚を正レンズ、３枚を負レンズとすることで、ペッツバール和、色収差の補正を容易にすることができ、周辺部まで良好な結像性能を有する撮像レンズとすることができる。また、前記第１レンズ〜前記第５レンズの合成で正の屈折力を形成し、前記第６レンズが負の屈折力を有することで、いわゆるテレフォトタイプのレンズ構成とでき、撮像レンズ全長の小型化に有利な構成とすることができる。
【００２４】
請求項８に記載の撮像レンズは、請求項１〜６のいずれかに記載の発明において、前記第２レンズは負の屈折力を有し、前記第３レンズは正の屈折力を有し、前記第４レンズは負の屈折力を有し、前記第５レンズは正の屈折力を有し、前記第６レンズは負の屈折力を有することを特徴とする。
【００２５】
第２レンズが負の屈折力を有することで、第１レンズと前記第２レンズの負の合成屈折力を大きくすることができ、撮像素子の大きさに対する焦点距離が小さい広角レンズにおいて、いわゆるレトロフォーカスタイプのレンズ構成とでき、これによりバックフォーカスが大きくなるため、前記撮像レンズと前記撮像面の間隔を広げることができるから、赤外線カットフィルタやカバーガラス等を設置する十分なスペースを確保できる。また、前記第１レンズ〜前記第５レンズの合成で正の屈折力を形成し、前記第６レンズが負の屈折力を有することで、いわゆるテレフォトタイプのレンズ構成とでき、撮像レンズ全長の小型化に有利な構成とすることができる。
【００２６】
請求項９に記載の撮像レンズは、請求項１〜８のいずれかに記載の発明において、画角が７５度以上であることを特徴とする。
【００２７】
画角が７５度以上、すなわち３５ｍｍ判写真換算で２８ｍｍ以下の焦点距離となる広角の撮像レンズの場合、前記第６レンズの像側の面と前記撮像面との距離が短くなり、光学ローパスフィルタ、赤外線カットフィルタ及び撮像素子を保護するカバーガラスを配置するスペースが狭くなりがちである。しかし、本発明によれば前記第１レンズと前記第２レンズとが負の合成屈折力を有しているため、バックフォーカスが十分大きくなり、広角の撮像レンズでも前記第６レンズの像側に十分なスペースを確保できる。
【００２８】
請求項１０に記載のレンズユニットは、請求項１〜９のいずれか一項に記載の撮像レンズを、前記撮像レンズを保持する鏡筒に組み付けてなることを特徴とする。
【００２９】
請求項１１に記載の撮像装置は、被写体像を光電変換する撮像素子と、請求項１０に記載のレンズユニットを備えたことを特徴とする。
【００３０】
請求項１２に記載のデジタルスチルカメラは、請求項１１に記載の撮像装置を備えたことを特徴とする。
【００３１】
請求項１３に記載の携帯端末は、請求項１１に記載の撮像装置を備えたことを特徴とする。
【００３２】
前記撮像レンズを構成する６枚のレンズのうち少なくとも４枚がプラスチックレンズであると、安価に製造する観点から好ましい。また、少なくとも５枚がプラスチックレンズであると、より好ましい。
【００３３】
前記撮像レンズを構成する６枚のレンズにガラスレンズが含まれていても良い。ガラスレンズを含むことで、ユニットへの組立の際に発生する製造誤差による結像性能の劣化に強い撮像レンズとなる。また、温度などの環境変化が起こった際の結像性能の劣化を抑える観点からも好ましい。
【００３４】
前記撮像素子は画素のサイズが大きいほど取込み光量が増えるため、一般的に撮像素子サイズが大きいほど高画質な画像が得られる。具体的には、１／３型（撮像面対角線長約６ｍｍ）以下のサイズの撮像素子よりも、１／２．３型（撮像面対角線長約８ｍｍ）以上のサイズの撮像素子の方が好ましい。より好ましくは、１／１．７型（撮像面対角線長約９ｍｍ）以上の撮像素子である。
【発明の効果】
【００３５】
本発明によれば、撮像素子周辺部に集光する光線の主光線角度を抑え、撮像素子と撮像レンズの間隔を十分確保でき、さらに広角で収差が良好に補正された６枚構成の撮像レンズ及び、撮像レンズを備えた撮像装置並びにデジタルスチルカメや及び携帯端末を提供することができる。
【図面の簡単な説明】
【００３６】
【図１】本実施の形態にかかる撮像ユニット５０の斜視図である。
【図２】撮像ユニット５０の撮像光学系の光軸に沿った断面を模式的に示した図である。
【図３】撮像ユニットを適用した携帯端末としてのスマートフォンの正面図（ａ）、及び撮像ユニットを適用したスマートフォンの背面図（ｂ）である。
【図４】図３のスマートフォンの制御ブロック図である。
【図５】実施例１の撮像レンズの光軸方向断面図である。
【図６】実施例１の収差図（球面収差（ａ）、非点収差（ｂ）、歪曲収差（ｃ））である。
【図７】実施例１における像高に対する光線の主光線角度（ＣＲＡ）を示すグラフであって、横軸が像高、縦軸がＣＲＡである。
【図８】実施例１の第２面（第１レンズの物体側の面）の非球面形状を示す図であって、縦軸に光軸からの高さｈ、横軸にサグ量Ｘをとっている。
【図９】実施例１の第３面（第１レンズの像側の面）の非球面形状を示す図であって、縦軸に光軸からの高さｈ、横軸にサグ量Ｘをとっている。
【図１０】実施例１の第１４面（第６レンズの像側の面）の非球面形状を示す図であって、縦軸に光軸からの高さｈ、横軸にサグ量Ｘをとっている。
【図１１】実施例２の撮像レンズの光軸方向断面図である。
【図１２】実施例２の収差図（球面収差（ａ）、非点収差（ｂ）、歪曲収差（ｃ））である。
【図１３】実施例２における像高に対する光線の主光線角度（ＣＲＡ）を示すグラフであって、横軸が像高、縦軸がＣＲＡである。
【図１４】実施例２の第２面（第１レンズの物体側の面）の非球面形状を示す図であって、縦軸に光軸からの高さｈ、横軸にサグ量Ｘをとっている。
【図１５】実施例２の第３面（第１レンズの像側の面）の非球面形状を示す図であって、縦軸に光軸からの高さｈ、横軸にサグ量Ｘをとっている。
【図１６】実施例２の第１４面（第６レンズの像側の面）の非球面形状を示す図であって、縦軸に光軸からの高さｈ、横軸にサグ量Ｘをとっている。
【図１７】実施例３の撮像レンズの光軸方向断面図である。
【図１８】実施例３の収差図（球面収差（ａ）、非点収差（ｂ）、歪曲収差（ｃ））である。
【図１９】実施例３における像高に対する光線の主光線角度（ＣＲＡ）を示すグラフであって、横軸が像高、縦軸がＣＲＡである。
【図２０】実施例３の第２面（第１レンズの物体側の面）の非球面形状を示す図であって、縦軸に光軸からの高さｈ、横軸にサグ量Ｘをとっている。
【図２１】実施例３の第３面（第１レンズの像側の面）の非球面形状を示す図であって、縦軸に光軸からの高さｈ、横軸にサグ量Ｘをとっている。
【図２２】実施例３の第１４面（第６レンズの像側の面）の非球面形状を示す図であって、縦軸に光軸からの高さｈ、横軸にサグ量Ｘをとっている。
【発明を実施するための形態】
【００３７】
以下、本発明の実施の形態を、図面を参照して説明する。図１は、本実施の形態にかかる撮像ユニット（撮像装置）５０の斜視図であり、図２は、撮像ユニット５０の撮像レンズの光軸に沿った断面を模式的に示した図である。
【００３８】
図１、２に示すように、撮像ユニット５０は、光電変換部５１ａを有する固体撮像素子としてのＣＭＯＳ型撮像素子５１と、この撮像素子５１の光電変換部(撮像面)５１ａに被写体像を撮像させる撮像レンズ１０と、撮像レンズ１０を保持する鏡筒５３と、センサカバー５４に支持され撮像レンズ１０と撮像素子５１の間に配置された平行平板状のＩＲカットフィルタＦ及びカバーガラスＣＧと、ＩＲカットフィルタＦ及びカバーガラスＣＧを保持するセンサカバー５４と、センサカバー５４に対して鏡筒５３とともに撮像レンズ１０を光軸方向に駆動するアクチュエータ５５と、センサカバー５４を支持するとともに撮像素子５１を実装した基板５２と、基板５２上に配置されて撮像レンズ１０を覆う筐体５６とを有する。
【００３９】
図２に示すように、撮像素子５１は、その受光側の平面の中央部に、画素（光電変換素子）が２次元的に配置された、受光部としての光電変換部５１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、撮像素子５１の受光側の平面の外縁近傍には、多数のパッド（図示略）が配置されており、不図示のワイヤを介して基板５２に接続されている。撮像素子５１は、光電変換部５１ａからの信号電荷をデジタルＹＵＶ信号等の画像信号等に変換し、ワイヤを介して基板５２上の所定の回路に出力する。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００４０】
鏡筒５３内に配置された撮像レンズ１０は、レンズユニットを構成し、物体側より順に、第１レンズＬ１、第２レンズＬ２、開口絞りＳ，第３レンズＬ３、第４レンズＬ４、第５レンズＬ５，第６レンズＬ６からなり、互いにスペーサＳＰを介してフランジ部同士を突き当てており、これにより軸間距離を維持している。
【００４１】
上述した撮像ユニット５０の動作について説明する。図３は、撮像ユニット５０を携帯端末としてのスマートフォン１００に装備した状態を示す図である。また、図４はスマートフォン１００の制御ブロック図である。
【００４２】
撮像ユニット５０は、例えば、筐体５６の物体側端面がスマートフォン１００の背面（図３（ｂ）参照）に設けられ、タッチパネル７０の裏側に相当する位置に配設される。
【００４３】
撮像ユニット５０は、スマートフォン１００の制御部１０１と接続され、輝度信号や色差信号等の画像信号を制御部１０１側に出力する。
【００４４】
一方、スマートフォン１００は、図４に示すように、各部を統括的に制御すると共に、各処理に応じたプログラムを実行する制御部（ＣＰＵ）１０１と、番号等をキーにより指示入力するための入力部６０と、所定のデータの他に撮像した映像等を表示する液晶表示部７０と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像ユニット５０により得られた撮像データ等を一時的に格納する作業領域として用いられる及び一時記憶部（ＲＡＭ）９２とを備えている。
【００４５】
スマートフォン１００は、入力キー部６０の操作によって動作し、タッチパネル（表示部）７０に表示されたアイコン７１等をタッチすることで、撮像ユニット５０を動作させて撮像を行うことができる。ここで、フォーカス機構としてのアクチュエータ５５が撮像レンズ１０を光軸方向に変位させることで、フォーカシングを行うようになっている。特に、近距離撮像時には、アクチュエータ５５が撮像レンズ１０全体を物体側へと移動させ、これにより近距離の被写体にピントが合うようになっている。
【００４６】
適切なタイミングで行われたレリーズに応じて撮像ユニット５０から入力された画像信号は、制御部１０１で後述する画像処理を施され、上記スマートフォン１００の制御系により、記憶部９２に記憶されたり、或いはタッチパネル７０で表示され、さらには、無線通信部８０を介して映像情報として外部に送信される。
【００４７】
なお、本実施の形態では、近距離撮像時に撮像レンズ１０全体を前方に繰り出しているが、例えば撮像レンズ１０の第１レンズＬ１〜第５レンズＬ５を第１群とし、第６レンズＬ６を第２群として、第２レンズ群を常に固定し、近距離撮像時に第１レンズ群を物体側に繰り出すようにしても良いし、近距離撮像時に第１レンズ群と第２レンズ群を物体側に繰り出すが、第１レンズ群の繰り出し量（Ｔ１）を第２レンズ群の繰り出し量（Ｔ２）より大きくしても良い。
【００４８】
［実施例］
以下、本発明の撮像レンズの実施例を示す。各実施例に使用する記号は下記の通りである。特に示さない限り、距離に関する値の単位はｍｍである。
ｆ：撮像レンズ全系の焦点距離
ｆｂ：バックフォーカス（空気換算距離）
Ｆ：Ｆナンバー
２Ｙ：撮像素子の撮像面対角長
ＦＯＶ：画角
Ｒ：曲率半径
ｄ：軸上面間隔
Ｎｄ：レンズ材料のｄ線に対する屈折率
νｄ：レンズ材料のアッベ数
ｆ１：第１レンズの焦点距離
ｆ２：第２レンズの焦点距離
ｆ３：第３レンズの焦点距離
ｆ４：第４レンズの焦点距離
ｆ５：第５レンズの焦点距離
ｆ６：第６レンズの焦点距離
ｆ１２：第１レンズと第２レンズの合成焦点距離
ｄ６：第６レンズの最も像面側の位置と像面の距離（空気換算距離）
【００４９】
各実施例において、各面番号の後に「＊」が記載されている面が非球面形状を有する面であり、非球面の形状は、面の頂点を原点とし、光軸方向にＸ軸をとり（像側をプラス）、光軸と垂直方向の高さをｈとして以下の「数１」で表す。
【００５０】
【数１】
2015125405.tif 000003
ただし、
Ａｉ：ｉ次の非球面係数
Ｒ  ：曲率半径
Ｋ  ：円錐定数
【００５１】
なお、特許請求の範囲及び実施例に記載の近軸曲率半径の意味合いについて、実際のレンズ測定の場面においては、レンズ中央近傍（具体的には、レンズ外径に対して１０％以内の中央領域）での形状測定値を最小自乗法でフィッティングした際の近似曲率半径を近軸曲率半径であるとみなすことができる。また、例えば２次の非球面係数を使用した場合には、非球面定義式の基準曲率半径に２次の非球面係数も勘案した曲率半径を近軸曲率半径とみなすことができる。（例えば参考文献として、松居吉哉著「レンズ設計法」（共立出版株式会社）のＰ４１〜４２を参照のこと）
【００５２】
（実施例１）
実施例１の撮像レンズの諸元を以下に示す。
ｆ＝４．６７ｍｍ
ｆｂ＝２．３１ｍｍ
Ｆ＝２．８８
２Ｙ＝９．３３ｍｍ
ＦＯＶ＝９０°
【００５３】
実施例１の撮像レンズの面データを以下に示す。
面番号        Ｒ(mm)      ｄ(mm)      Ｎｄ      νｄ    有効半径(mm)
１            ∞          ∞                             
２＊        -4.374       0.77      1.5305      55.7      2.67
３＊        -6.394       0.15                            2.10
４＊         2.440       0.94      1.6346      23.9      1.57
５＊         2.121       0.55                            1.03
６（絞り）    ∞         0.15                            0.77
７＊        13.573       1.20      1.5305      55.7      0.92
８＊        -2.714       0.56                            1.28
９＊        -3.414       0.60      1.6346      23.9      1.54
10＊        15.148       0.20                            2.11
11＊      -609.613       1.82      1.7720      50.0      2.38
12＊        -2.474       0.18                            2.71
13＊         3.760       1.14      1.5305      55.7      3.67
14＊         1.774       1.13                            3.80
15            ∞         0.30      1.5163      64.1      3.88
16            ∞         0.20                            3.91
17            ∞         0.50      1.5163      64.1      3.93
18            ∞         0.53                            3.97
【００５４】
ここで、第２面と第３面が第１レンズ、第４面と第５面が第２レンズ、第７面と第８面が第３レンズ、第９面と第１０面が第４レンズ、第１１面と第１２面が第５レンズ、第１３面と第１４面が第６レンズを表している。第２面と第３面は共に光軸付近で像側に凸の形状であり、第１レンズは像側に凸のメニスカス形状である。また、第１３面と第１４面は共に物体側に凸の形状であり、第６レンズは物体側に凸のメニスカス形状であることを示している。
【００５５】
実施例１の非球面係数を以下に示す。
第２面
K=-5.34580E+00,A4=3.55921E-02,A6=-8.35358E-03,A8=1.48349E-03,A10=-1.80887E-04,A12=1.32819E-05,A14=-4.33192E-07
第３面
K=-1.38774E+01,A4=4.78295E-02,A6=-1.35766E-02,A8=2.36763E-03,A10=-2.15698E-04,A12=8.25505E-06,A14=-1.10536E-08
第４面
K=6.91590E-02,A4=2.97538E-03,A6=-1.16170E-03,A8=-1.62615E-03,A10=6.69805E-04
第５面
K=9.59742E-01,A4=-2.05091E-02,A6=2.11283E-02,A8=-1.11875E-02,A10=-2.16708E-03,A12=7.49300E-03
第７面
A4=-1.03463E-02,A6=-3.53802E-03,A8=3.09003E-03
第８面
A4=-2.80292E-02,A6=9.22517E-03,A8=-1.74559E-02,A10=1.74250E-02,A12=-8.40329E-03,A14=1.44858E-03
第９面
K=-4.37488E+00,A4=-6.07809E-02,A6=2.15084E-02,A8=-4.79510E-03,A10=3.27404E-03,A12=-1.39264E-03,A14=1.73223E-04
第１０面
A4=-1.99606E-02,A6=1.51081E-03,A8=1.82620E-03,A10=-5.85764E-04,A12=7.40190E-05,A14=-3.97111E-06
第１１面
A4=1.99505E-02,A6=-1.32170E-02,A8=4.18286E-03,A10=-7.42897E-04,A12=7.22136E-05,A14=-2.98225E-06
第１２面
K=-4.06339E+00,A4=-8.13305E-03,A6=1.83913E-03,A8=-6.89620E-04,A10=1.47500E-04,A12=-1.36298E-05,A14=4.94380E-07
第１３面
K=-5.27880E+00,A4=-1.09290E-02,A6=-7.22040E-04,A8=3.28767E-04,A10=-3.01692E-05,A12=1.22309E-06,A14=-1.93842E-08
第１４面
K=-3.82395E+00,A4=-1.68203E-02,A6=2.09781E-03,A8=-2.18788E-04,A10=1.38088E-05,A12=-3.93774E-07,A14=3.19918E-09
【００５６】
各レンズの焦点距離を以下に示す。この時、屈折力は焦点距離の逆数となるため、屈折力の正負は焦点距離の正負と同様となる。
ｆ１＝−２９．９６ｍｍ
ｆ２＝１７２．９９ｍｍ
ｆ３＝４．３６ｍｍ
ｆ４＝−４．２９ｍｍ
ｆ５＝３．２０ｍｍ
ｆ６＝−７．８７ｍｍ
ｆ１２＝−３０．３３ｍｍ
【００５７】
実施例１の撮像レンズの条件式に対応する値を以下に示す。
ｆｂ／ｆ＝０．４９
ｄ６／ｆ＝０．３６
【００５８】
実施例１の撮像レンズは画角が９０度の広角レンズであるが、条件式（１）、（２）を満たしており、第６レンズと撮像素子の間には、光学ローパスフィルタ、赤外線カットフィルタ及び撮像素子を保護するカバーガラスが配置する間隔を確保している。
【００５９】
実施例１においては、第５レンズがガラスモールドレンズ、第１レンズから第４レンズと第６レンズがプラスチックレンズである。
【００６０】
実施例１の撮像レンズの面データは撮影距離を無限遠としているが、本発明において撮影距離はこれに限定されるものではない。例えば、第１４面と第１５面の光軸上の間隔（ｄ１４）を変化させることで撮影距離の変化による結像位置のずれを補正するフォーカス機構を撮像レンズに備えることにより、撮影距離範囲を広げることができる。実施例１では、撮影距離８０ｍｍ（ｄ１＝８０ｍｍ）の時に、第１４面と第１５面の光軸上の間隔は１．３９ｍｍ（ｄ１４＝１．３９ｍｍ）である。この時、第６レンズの像側の面と撮像素子の間隔が狭くなるが、条件式（１）、条件式（２）を満たすことで十分な間隔を確保しているため、このようなフォーカス機構を備えた近接撮影が可能になる。
【００６１】
図５は実施例１の撮像レンズの断面図である。図中Ｌ１は負の屈折力を有する第１レンズ、Ｌ２は正の屈折力を有する第２レンズ、Ｌ３は正の屈折力を有する第３レンズ、Ｌ４は負の屈折力を有する第４レンズ、Ｌ５は正の屈折力を有する第５レンズ、Ｌ６は負の屈折力を有する第６レンズ、Ｓは開口絞り、Iは撮像面を示す。また、Ｆは光学ローパスフィルタ、赤外線カットフィルタを想定した平行平板、ＣＧは撮像素子を保護するカバーガラスを想定した平行平板である。なお、第１レンズＬ１と第２レンズＬ２の合成屈折力は負である。
【００６２】
図６は実施例１の撮像レンズにかかる収差図（（ａ）球面収差、（ｂ）非点収差、（ｃ）歪曲収差）である。像面での諸収差が良好に補正されている。ここで、広角レンズで顕著になる樽型の歪曲収差（ディストーション）は、像高全域でＤ≧−１５％であり、撮像装置での歪曲画像の補正が良好に行うことができる。尚、以降の収差図において、非点収差図では、実線Ｓがサジタル像面、点線Ｍがメリジオナル像面をあらわすものとする。
【００６３】
図７は、実施例１における像高に対する光線の主光線角度（ＣＲＡ）を示すグラフである。図７に示すようにＣＲＡは２０°以下であるため、集光効率の低下（周辺光量低下）、混色特性の劣化による色ムラの発生による画質が低下を抑えることができる。
【００６４】
図８は実施例１の第２面（第１レンズの物体側の面）、図９は実施例１の第３面（第１レンズの像側の面）、図１０は実施例１の第１４面（第６レンズの像側の面）の非球面形状を示す図である。第２面はサグ量Ｘがｈ＝１．６７ｍｍで極値を持ち、第３面はサグ量Ｘがｈ＝１．０５ｍｍで極値を持ち、第１４面はサグ量Ｘがｈ＝２．７４ｍｍで極値を持つ形状となっており、撮像素子周辺部での主光線角度（ＣＲＡ）を抑えている。
【００６５】
（実施例２）
実施例２の撮像レンズの諸元を以下に示す。
ｆ＝４．６７ｍｍ
ｆｂ＝２．３１ｍｍ
Ｆ＝２．８８
２Ｙ＝９．３３ｍｍ
ＦＯＶ＝９０°
【００６６】
実施例２の撮像レンズの面データを以下に示す。
面番号        Ｒ(mm)      ｄ(mm)      Ｎｄ      νｄ    有効半径(mm)
１            ∞          ∞                             
２＊        -3.383       0.71      1.5305      55.7      2.52
３＊        -4.478       0.15                            2.10
４＊         2.711       0.90      1.6346      23.9      1.52
５＊         2.467       0.55                            1.03
６（絞り）    ∞         0.15                            0.77
７＊        10.989       1.20      1.5305      55.7      0.92
８＊        -3.033       0.61                            1.28
９＊        -3.286       0.61      1.6346      23.9      1.53
10＊        15.675       0.20                            2.07
11＊       413.846       1.80      1.7720      50.0      2.35
12＊        -2.423       0.18                            2.68
13＊         3.757       1.11      1.5305      55.7      3.66
14＊         1.727       1.13                            3.79
15            ∞         0.30      1.5163      64.1      3.87
16            ∞         0.20                            3.89
17            ∞         0.50      1.5163      64.1      3.92
18            ∞         0.53                            3.96
【００６７】
ここで、第２面と第３面が第１レンズ、第４面と第５面が第２レンズ、第７面と第８面が第３レンズ、第９面と第１０面が第４レンズ、第１１面と第１２面が第５レンズ、第１３面と第１４面が第６レンズを表している。第２面と第３面は共に光軸付近で像側に凸の形状であり、第１レンズは像側に凸のメニスカス形状である。また、第１３面と第１４面は共に物体側に凸の形状であり、第６レンズは物体側に凸のメニスカス形状であることを示している。
【００６８】
実施例２の非球面係数を以下に示す。
第２面
K=-4.96125E+00,A4=3.29575E-02,A6=-8.49982E-03,A8=1.48099E-03,A10=-1.79752E-04,A12=1.33926E-05,A14=-4.45466E-07
第３面
K=-1.38774E+01,A4=4.13195E-02,A6=-1.37753E-02,A8=2.36060E-03,A10=-2.15305E-04,A12=9.46031E-06,A14=-1.35059E-07
第４面
K=-3.65867E-02,A4=1.03489E-02,A6=-2.25089E-03,A8=-1.80133E-03,A10=6.92236E-04
第５面
K=1.43226E+00,A4=-1.32097E-02,A6=2.48773E-02,A8=-1.59231E-02,A10=8.47464E-04,A12=5.30424E-03
第７面
A4=-5.91692E-03,A6=-2.01333E-03,A8=3.20417E-03
第８面
A4=-2.86486E-02,A6=1.10337E-02,A8=-1.79294E-02,A10=1.74181E-02,A12=-7.69022E-03,A14=1.19404E-03
第９面
K=-4.37488E+00,A4=-6.54415E-02,A6=2.29663E-02,A8=-4.51955E-03,A10=3.40626E-03,A12=-1.36181E-03,A14=1.37400E-04
第１０面
A4=-2.24761E-02,A6=3.42783E-03,A8=9.64959E-04,A10=-3.06005E-04,A12=3.08454E-05,A14=-1.62018E-06
第１１面
A4=1.94032E-02,A6=-1.27615E-02,A8=4.04634E-03,A10=-7.28167E-04,A12=7.22690E-05,A14=-3.06427E-06
第１２面
K=-4.05993E+00,A4=-7.92255E-03,A6=1.92544E-03,A8=-6.92032E-04,A10=1.47150E-04,A12=-1.36380E-05,A14=4.91632E-07
第１３面
K=-5.27880E+00,A4=-1.14781E-02,A6=-6.60025E-04,A8=3.27960E-04,A10=-3.02505E-05,A12=1.22041E-06,A14=-1.91167E-08
第１４面
K=-3.82395E+00,A4=-1.69597E-02,A6=2.09390E-03,A8=-2.15848E-04,A10=1.36448E-05,A12=-3.99806E-07,A14=3.64111E-09
【００６９】
各レンズの焦点距離を以下に示す。この時、屈折力は焦点距離の逆数となるため、屈折力の正負は焦点距離の正負と同様となる。
ｆ１＝−３３．５２ｍｍ
ｆ２＝９７．５９ｍｍ
ｆ３＝４．６０ｍｍ
ｆ４＝−４．１９ｍｍ
ｆ５＝３．１１ｍｍ
ｆ６＝−７．４０ｍｍ
ｆ１２＝−４３．４０ｍｍ
【００７０】
実施例２の撮像レンズの条件式に対応する値を以下に示す。
ｆｂ／ｆ＝０．５０
ｄ６／ｆ＝０．３６
【００７１】
実施例２の撮像レンズは画角が９０度の広角レンズであるが、条件式（１）、（２）を満たしており、第６レンズと撮像素子の間には、光学ローパスフィルタ、赤外線カットフィルタ及び撮像素子を保護するカバーガラスが配置する間隔を確保している。
【００７２】
実施例２においては、第５レンズがガラスモールドレンズ、第１レンズから第４レンズと第６レンズがプラスチックレンズである。
【００７３】
図１１は実施例２の撮像レンズの断面図である。図中Ｌ１は負の屈折力を有する第１レンズ、Ｌ２は正の屈折力を有する第２レンズ、Ｌ３は正の屈折力を有する第３レンズ、Ｌ４は負の屈折力を有する第４レンズ、Ｌ５は正の屈折力を有する第５レンズ、Ｌ６は負の屈折力を有する第６レンズ、Ｓは開口絞り、Iは撮像面を示す。また、Ｆは光学ローパスフィルタ、赤外線カットフィルタを想定した平行平板、ＣＧは撮像素子を保護するカバーガラスを想定した平行平板である。なお、第１レンズＬ１と第２レンズＬ２の合成屈折力は負である。
【００７４】
図１２は実施例２の撮像レンズにかかる収差図（（ａ）球面収差、（ｂ）非点収差、（ｃ）歪曲収差）である。像面での諸収差が良好に補正されている。ここで、広角レンズで顕著になる樽型の歪曲収差（ディストーション）は、像高全域でＤ≧−１５％であり、撮像装置での歪曲画像の補正が良好に行うことができる。
【００７５】
図１３は、実施例２における像高に対する光線の主光線角度（ＣＲＡ）を示すグラフである。図１３に示すようにＣＲＡは２０°以下であるため、集光効率の低下（周辺光量低下）、混色特性の劣化による色ムラの発生による画質が低下を抑えることができる。
【００７６】
図１４は実施例２の第２面（第１レンズの物体側の面）、図１５は実施例２の第３面（第１レンズの像側の面）、図１６は実施例２の第１４面（第６レンズの像側の面）の非球面形状である。第１４面はサグ量Ｘがｈ＝２．７４ｍｍで極値を持つ形状となっており、撮像素子周辺部での主光線角度（ＣＲＡ）を抑えている。
【００７７】
（実施例３）
実施例３の撮像レンズの諸元を以下に示す。
ｆ＝４．６７ｍｍ
ｆｂ＝２．７７ｍｍ
Ｆ＝２．８８
２Ｙ＝９．３３ｍｍ
ＦＯＶ＝９０°
【００７８】
実施例３の撮像レンズの面データを以下に示す。
面番号        Ｒ(mm)      ｄ(mm)      Ｎｄ      νｄ    有効半径(mm)
１            ∞          ∞                             
２＊        -3.393       0.67      1.5305      55.7      2.58
３＊        -4.084       0.15                            2.10
４＊         2.595       0.91      1.6346      23.9      1.57
５＊         2.210       0.66                            1.08
６（絞り）    ∞         0.21                            0.77
７＊        22.229       1.20      1.5305      55.7      0.92
８＊        -2.869       0.55                            1.28
９＊        -3.346       0.38      1.6346      23.9      1.54
10＊        15.556       0.20                            1.98
11＊       -84.227       1.74      1.7720      50.0      2.26
12＊        -2.409       0.16                            2.59
13＊         3.002       0.90      1.5305      55.7      3.55
14＊         1.693       1.59                            3.59
15            ∞         0.30      1.5163      64.1      3.57
16            ∞         0.20                            3.80
17            ∞         0.50      1.5163      64.1      3.85
18            ∞         0.53                            3.93
【００７９】
ここで、第２面と第３面が第１レンズ、第４面と第５面が第２レンズ、第７面と第８面が第３レンズ、第９面と第１０面が第４レンズ、第１１面と第１２面が第５レンズ、第１３面と第１４面が第６レンズを表している。第２面と第３面は共に光軸付近で像側に凸の形状であり、第１レンズは像側に凸のメニスカス形状である。また、第１３面と第１４面は共に物体側に凸の形状であり、第６レンズは物体側に凸のメニスカス形状であることを示している。
【００８０】
実施例３の非球面係数を以下に示す。
第２面
K=-6.38067E+00,A4=3.30965E-02,A6=-8.14287E-03,A8=1.46254E-03,A10=-1.75592E-04,A12=1.25609E-05,A14=-3.96007E-07
第３面
K=-1.38774E+01,A4=4.14267E-02,A6=-1.23834E-02,A8=2.44006E-03,A10=-2.89569E-04,A12=1.97444E-05,A14=-5.38298E-07
第４面
K=8.70994E-02,A4=6.35303E-03,A6=-3.63272E-03,A8=-3.78519E-04,A10=4.34011E-04
第５面
K=6.76916E-01,A4=-2.25167E-02,A6=2.47471E-02,A8=-1.85660E-02,A10=6.99117E-03,A12=1.30169E-03
第７面
A4=-1.14731E-02,A6=-4.59477E-03,A8=1.65754E-03
第８面
A4=-2.23985E-02,A6=7.04992E-03,A8=-1.49966E-02,A10=1.47015E-02,A12=-6.98138E-03,A14=1.17878E-03
第９面
K=-4.37488E+00,A4=-6.32978E-02,A6=2.54691E-02,A8=-6.10889E-03,A10=2.93815E-03,A12=-1.15191E-03,A14=1.46431E-04
第１０面
A4=-3.27666E-02,A6=1.17782E-02,A8=-2.10605E-03,A10=1.92494E-04,A12=-3.14534E-06,A14=-1.08320E-06
第１１面
A4=1.53905E-02,A6=-9.87912E-03,A8=3.30229E-03,A10=-6.41871E-04,A12=7.03989E-05,A14=-3.33687E-06
第１２面
K=-4.00289E+00,A4=-9.61364E-03,A6=2.40432E-03,A8=-6.98296E-04,A10=1.45625E-04,A12=-1.35799E-05,A14=4.59881E-07
第１３面
K=-5.27880E+00,A4=-7.22354E-03,A6=-7.24520E-04,A8=3.05678E-04,A10=-2.95888E-05,A12=1.28553E-06,A14=-2.21633E-08
第１４面
K=-3.82395E+00,A4=-1.48691E-02,A6=1.84899E-03,A8=-1.77361E-04,A10=1.25851E-05,A12=-4.41856E-07,A14=4.71741E-09
【００８１】
各レンズの焦点距離を以下に示す。この時、屈折力は焦点距離の逆数となるため、屈折力の正負は焦点距離の正負と同様となる。
ｆ１＝−５６．９８ｍｍ
ｆ２＝−３０２．８ｍｍ
ｆ３＝４．８５ｍｍ
ｆ４＝−４．２６ｍｍ
ｆ５＝３．１７ｍｍ
ｆ６＝−９．５８ｍｍ
ｆ１２＝−４１．８２ｍｍ
【００８２】
実施例３の撮像レンズの条件式に対応する値を以下に示す。
ｆｂ／ｆ＝０．５９
ｄ６／ｆ＝０．３９
【００８３】
実施例３の撮像レンズは画角が９０度の広角レンズであるが、条件式（１）、（２）を満たしており、第６レンズと撮像素子の間には、光学ローパスフィルタ、赤外線カットフィルタ及び撮像素子を保護するカバーガラスが配置する間隔を確保している。
【００８４】
実施例３においては、第５レンズがガラスモールドレンズ、第１レンズから第４レンズと第６レンズがプラスチックレンズである。
【００８５】
図１７は実施例３の撮像レンズの断面図である。図中Ｌ１は負の屈折力を有する第１レンズ、Ｌ２は負の屈折力を有する第２レンズ、Ｌ３は正の屈折力を有する第３レンズ、Ｌ４は負の屈折力を有する第４レンズ、Ｌ５は正の屈折力を有する第５レンズ、Ｌ６は負の屈折力を有する第６レンズ、Ｓは開口絞り、Iは撮像面を示す。また、Ｆは光学ローパスフィルタ、赤外線カットフィルタを想定した平行平板、ＣＧは撮像素子を保護するカバーガラスを想定した平行平板である。なお、第１レンズＬ１と第２レンズＬ２の合成屈折力は負である。
【００８６】
図１８は実施例３の撮像レンズにかかる収差図（球面収差、非点収差、歪曲収差）である。像面での諸収差が良好に補正されている。ここで、広角レンズで顕著になる樽型の歪曲収差（ディストーション）は、像高全域でＤ≧−１５％であり、撮像装置での歪曲画像の補正が良好に行うことができる。
【００８７】
図１９は実施例３における像高に対する光線の主光線角度（ＣＲＡ）を示すグラフである。図１９に示すようにＣＲＡは２０°以下であるため、集光効率の低下（周辺光量低下）、混色特性の劣化による色ムラの発生による画質が低下を抑えることができる。
【００８８】
図２０は実施例３の第２面（第１レンズの物体側の面）、図２１は実施例３の第３面（第１レンズの像側の面）、図２２は実施例３の第１４面（第６レンズの像側の面）の非球面形状である。第２面はサグ量Ｘがｈ＝１．９６ｍｍで極値を持ち、第３面はサグ量Ｘがｈ＝１．４３ｍｍで極値を持つ形状となっており、撮像素子周辺部での主光線角度（ＣＲＡ）を抑えている。
【００８９】
また、本発明は、明細書に記載の実施例に限定されるものではなく、他の実施例・変形例を含むことは、本明細書に記載された実施例や思想から本分野の当業者にとって明らかである。例えば、実質的に屈折力を持たないダミーレンズを更に付与した場合でも本発明の適用範囲内である。又、撮像装置を搭載した携帯端末を例として示したが、デジタルスチルカメラに搭載することもできる。
【産業上の利用可能性】
【００９０】
本発明は、携帯端末やデジタルスチルカメラに好適な撮像レンズを提供できる。
【符号の説明】
【００９１】
１０            撮像レンズ
５０            撮像ユニット
５１            固体撮像素子
５１ａ            光電変換部
５２            基板
５３            鏡筒
５４            センサカバー
５５            アクチュエータ
６０            入力部
６０            入力キー部
７０            タッチパネル
７１            アイコン
８０            無線通信部
９２            記憶部
１００            スマートフォン
１０１            制御部
Ｌ１−Ｌ６        レンズ
Ｓ  開口絞り
ＣＧ  カバーガラス
Ｆ  光学フィルタ
【図１】
2015125405.tif 000004
【図２】
2015125405.tif 000005
【図３】
2015125405.tif 000006
【図４】
2015125405.tif 000007
【図５】
2015125405.tif 000008
【図６】
2015125405.tif 000009
【図７】
2015125405.tif 000010
【図８】
2015125405.tif 000011
【図９】
2015125405.tif 000012
【図１０】
2015125405.tif 000013
【図１１】
2015125405.tif 000014
【図１２】
2015125405.tif 000015
【図１３】
2015125405.tif 000016
【図１４】
2015125405.tif 000017
【図１５】
2015125405.tif 000018
【図１６】
2015125405.tif 000019
【図１７】
2015125405.tif 000020
【図１８】
2015125405.tif 000021
【図１９】
2015125405.tif 000022
【図２０】
2015125405.tif 000023
【図２１】
2015125405.tif 000024
【図２２】
2015125405.tif 000025